【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
シングル・ボード・コンピュータとともに用いるためのウェッジ・ロックであって、
第１の方向に動くように構成された第１の部分と、
前記第１の部分の動きに応じて第２の方向に動き、さらに、前記第１及び第２の方向と垂直な第３の方向に動くように構成されて前記シングル・ボード・コンピュータを動作環境内で固定することを容易にし、前記シングル・ボード・コンピュータの伝導冷却を促進するように構成された第２の部分と、を備えるウェッジ・ロック。
【請求項２】
前記第１の部分は第１の端部と第２の端部とを備え、前記第１の端部は、前記第１の部分を前記第１の方向に動かすために固定メカニズムを内部に受け取るようなサイズの開口部を画定する請求項１に記載のウェッジ・ロック。
【請求項３】
前記第１の部分の動きによって前記第２の部分上に力が誘起され、前記力は、前記第２の部分を前記第１の方向に動かす第１の力ベクトル成分を含む請求項２に記載のウェッジ・ロック。
【請求項４】
前記第２の部分は第１の端部と第２の端部とを備え、前記第２の部分の第１の端部は、前記第１の部分の第２の端部に少なくとも部分的に接触し、前記第２の部分上に誘起された前記力はさらに、前記第２の部分を前記第１及び第２の方向に垂直な前記第３の方向に動かす第２の力ベクトル成分を含む請求項３に記載のウェッジ・ロック。
【請求項５】
前記シングル・ボード・コンピュータは、端部ウェッジ部分を備える冷却板を備え、前記力の前記第２の力ベクトル成分は、前記第２の部分を前記第２の方向に動かして、前記第２の部分の第２の端部が前記端部ウェッジ部分に少なくとも部分的に接触するようにし、前記第２の部分上に誘起された前記力はさらに、前記第２の部分を前記第１の方向と前記第２の方向とに垂直な前記第３の方向に動かす第３の力ベクトル成分を含む請求項４に記載のウェッジ・ロック。
【請求項６】
前記冷却板はさらに外縁表面を備え、前記第２の部分はさらに、前記外縁表面に少なくとも部分的に接触する底面を備え、前記第２の部分上に誘起された前記力の前記第３の力ベクトル成分は、前記外縁表面に沿って前記第２の部分を前記第３の方向に動かす請求項５に記載のウェッジ・ロック。
【請求項７】
前記第３の方向における前記第２の部分の動きによって、前記シングル・ボード・コンピュータを前記動作環境内で固定することが容易になる請求項６に記載のウェッジ・ロック。
【請求項８】
シングル・ボード・コンピュータであって、
プリント回路基板（ＰＣＢ）と、
前記ＰＣＢに対して位置決めされた冷却板と、
前記シングル・ボード・コンピュータを動作環境内で固定するように構成されたウェッジ・ロックであって、
第１の方向に動くように構成された第１の部分と、
前記第１の部分の動きに応じて第２の方向に動き、さらに、前記第１及び第２の方向と垂直な第３の方向に動くように構成されて前記シングル・ボード・コンピュータの伝導冷却を促進するように構成された第２の部分と、を備えるウェッジ・ロックと、を備えるシングル・ボード・コンピュータ。
【請求項９】
前記ウェッジ・ロックによって、前記ＰＣＢから発生する熱を除去することができる第１の熱経路であって前記冷却板と前記第２の部分とを含む第１の熱経路が得られる請求項８に記載のシングル・ボード・コンピュータ。
【請求項１０】
前記ウェッジ・ロックによって、前記ＰＣＢから発生する熱を除去することができる第２の熱経路であって前記冷却板を含む第２の熱経路が得られる請求項９に記載のシングル・ボード・コンピュータ。
【請求項１１】
前記第１の部分は、前記第１の方向に動いて前記第２の部分上に力を誘起するように構成され、前記力は、前記第２の部分を前記第１の方向に動かす第１の力ベクトル成分を含む請求項８に記載のシングル・ボード・コンピュータ。
【請求項１２】
前記第２の部分は第１の端部と第２の端部とを備え、前記第１の端部は前記第１の部分に少なくとも部分的に接触し、前記第２の部分上に誘起された前記力はさらに、前記第２の部分を前記第１の方向に垂直な前記第２の方向に動かす第２の力ベクトル成分を含む請求項１１に記載のシングル・ボード・コンピュータ。
【請求項１３】
前記冷却板は端部ウェッジ部分を備え、前記力の前記第２の力ベクトル成分は、前記第２の部分を前記第２の方向に動かして、前記第２の部分の第２の端部が前記端部ウェッジ部分に少なくとも部分的に接触するようにし、前記第２の部分上に誘起された前記力はさらに、前記第２の部分を前記第１の方向と前記第２の方向とに垂直な前記第３の方向に動かす第３の力ベクトル成分を含む請求項１２に記載のシングル・ボード・コンピュータ。
【請求項１４】
前記冷却板はさらに外縁表面を備え、前記第２の部分はさらに、前記外縁表面に少なくとも部分的に接触する底面を備え、前記第２の部分上に誘起された前記力の前記第３の力ベクトル成分は、前記外縁表面に沿って前記第２の部分を前記第３の方向に動かす請求項１３に記載のシングル・ボード・コンピュータ。
【請求項１５】
前記第３の方向における前記第２の部分の動きによって、前記シングル・ボード・コンピュータを前記動作環境内で固定することが容易になる請求項１４に記載のシングル・ボード・コンピュータ。
【請求項１６】
シングル・ボード・コンピュータを備えるコンピュータ・システムであって、前記シングル・ボード・コンピュータは、第１の部分と第２の部分とを有するウェッジ・ロックを備えるコンピュータ・システムを組み立てる方法であって、
前記方法は、
前記シングル・ボード・コンピュータを前記コンピュータ・システムの熱基準面に対して位置決めすることと、
前記シングル・ボード・コンピュータを前記コンピュータ・システム内で固定して前記シングル・ボード・コンピュータの伝導冷却を促進するために、前記ウェッジ・ロックの前記第１の部分を第１の方向において調整して、前記ウェッジ・ロックの前記第２の部分に、前記第２の部分を第２の方向に動かす力を与えることと、を含み、
前記第２の部分は、前記第１及び第２の方向と垂直な第３の方向に動くように構成されている、方法。
【請求項１７】
前記第１の部分を調整することは、前記第１の方向に延びる第１の軸の周りにネジを回転させて、前記第１の部分が前記第２の部分に前記力を与えるようにすることであって、前記力は、前記第２の部分を前記第１の方向に動かす第１の力ベクトル成分を含む、与えるようにすること、を含む請求項１６に記載の方法。
【請求項１８】
前記第１の部分を調整することは、前記第１の方向に延びる第１の軸の周りにネジを回転させて、前記第１の部分が前記第２の部分に前記力を与えるようにすることであって、前記力はさらに、前記第２の部分を前記第１の方向に垂直な前記第２の方向に動かす第２の力ベクトル成分を含む、与えるようにすること、を含む請求項１７に記載の方法。
【請求項１９】
前記第１の部分を調整することはさらに、前記第１の軸の周りに前記ネジを回転させて、前記第１の部分が前記第２の部分に前記力を与えるようにすることであって、前記力はさらに、前記第２の部分を前記第１の方向と前記第２の方向とに垂直な第３の方向に動かす第３の力ベクトル成分を含む、与えるようにすること、を含む請求項１８に記載の方法。
【請求項２０】
前記シングル・ボード・コンピュータはさらに冷却板を備え、熱基準面に対する前記シングル・ボード・コンピュータの前記位置決めによって、前記冷却板と前記ウェッジ・ロックの前記第２の部分とを含む第１の熱経路と、前記冷却板のみを含む第２の熱経路とを得ることが容易になる請求項１６に記載の方法。